(57)【要約】      （修正有）【課題】浮腫患者さんのマッサージ治療が、機能的にかつ尊厳をもって行えるよう、あらゆる部位が開閉分離可能な治療用衣服を提供する。【解決手段】上着の両脇１、袖２、袖付け３、肩４、前身頃縦合わせ部分５、前身頃横部分６、および後身頃縦合わせ部分、後身頃横部分、ズボン両脇、内側股部分、股上部分、ウエスト、以上の各部位にマジックテープ（登録商標）をつけ開閉可能とする。【選択図】図１
0003145579.tif 000002
【実用新案登録請求の範囲】
【請求項１】
一対の前縁を設けた前身頃と、前身頃と共に胴部を形成する後身頃と銅部の両側に取り付けられた袖部とを有する上着を備えたリハビリ用衣服において、
前身頃の縦方向に延伸する各脇合わせ縁部と後身頃の縦方向に延伸する各脇合わせ縁部との間及び前身頃の脇合わせ縁部及び後身頃の脇合わせ縁部にほぼ対向して延伸する各袖部の一対の側縁との間を上着開閉手段により分離可能に接続し、
閉鎖した上着開閉手段を完全に開放して、前身頃の脇合わせ縁部と後身頃の脇合わせ縁部とを分割しかつ袖部の一対の縁部を分離できることを特徴とするリハビリ用衣服。
【請求項２】
一対の袖部が前身頃と共に胴部を形成する後身頃の縁部から完全に分離できるよう、開閉手段により分離可能に接続した、請求項１に記載のリハビリ用衣服。
【請求項３】
一対の筒状部を有する袖部のもう一方の縁部が、開閉手段により開閉可能にした請求項１に記載のリハビリ用衣服。
【請求項４】
一対の前身頃と後身頃で形成する胴部において、襟部分から袖部に伸びる肩部の前身頃と後身頃の縁部が開閉手段により分離可能とした請求項１に記載のリハビリ用衣服。
【請求項５】
一対の前縁を設けた前身頃において、縦方向に延伸する前縁部が開閉手段により分離可能とし、さらに前身頃を横方向に延伸する縁部も同手段により開閉分離を可能とした請求項１に記載のリハビリ用衣服。
【請求項６】
前身頃と共に胴部を形成する後身頃において、その中央の縦方向に延伸する縁部、及び、前身頃と同位置に横方向に延伸する縁部が開閉手段により開閉分離を可能とした請求項１に記載のリハビリ用衣服。
【請求項７】
請求項１に記載のリハビリ用衣服における各縁部の開閉手段はソフトタイプのマジックテープである。
【請求項８】
一方のズボン前片、他方のズボン前片及び、一方のズボン前片の上部と他方のズボン前片の上部とを接続する腹連結部を有する前布と、一方のズボン後片、他方のズボン後片、及び一方のズボン後片の上部と他方のズボン後片の上部とを接続する背連結部とを有する後布とを備えるリハビリ用ズボン。
【請求項９】
一対のズボン前片と一対のズボン後片の両脇の縁部に全長さに沿って開閉手段を設け分離可能にした請求項８に記載のリハビリ用ズボン。
【請求項１０】
一対のズボン前片と一対のズボン後片の股部分の縁部において全長さに沿って開閉手段を設け分離可能にした請求項８に記載のリハビリ用ズボン。
【請求項１１】
ズボンの前布及び後布において、両股上部分を開閉手段により分離可能とした請求項８に記載のリハビリ用ズボン。
【請求項１２】
請求項８に記載のズボンにおける開閉手段はソフトタイプのマジックテープである。
【考案の詳細な説明】
【技術分野】
【０００１】本考案は、浮腫の患者の治療であるマッサージを必要な部位のみ開いて施術できるリハビリ用衣服に関するものである。
【背景技術】
【０００２】着脱しやすく、介護しやすいように開閉可能な機能を備えた医療用治療服、あるいは寝巻きとしては下記特許文献１，２，３に開示されているものがある。
下記特許文献１は、上着の一方の衿から肩、袖、脇、裾にかけて開閉自在であり、寝たきりの被介護人の衣服の着脱を容易にし、介護人の負担をも軽減するものである。さらに、床ずれを緩和するために床ずれ発生部位に絹を裏張りしている。【０００３】下記特許文献２は、肩、腕、足、胸の各所に治療用開閉口を設け、開閉箇所をマジックテープで開閉する上着とズボンである。病院での手術後の治療にあたり、患者の苦痛を減らし、治療しやすい医療用治療肌着である。【０００４】下記特許文献３は、可能な限り衣服としての形態を保ちながら、着脱を容易にするため、首回り、袖、脇、股下、股上など開閉可能にし、さらに筒状部も確保することにより、見栄えもよく、被介護者にとって精神的に卑屈になることもない要介護者用寝巻きである。【０００５】これらは衣服に開閉手段を設けることにより、被介護人の尊厳を守りつつ、介護や看護、治療、着脱に役立つものである。【０００６】しかし、これらの開閉部位は衣服のすべての部位ではない。一部は筒状を保つことで衣服の各部分がバラバラに分離してしまうことを避けたからである。各部分が分離してしまうと逆に着脱しにくくなると考えられる。したがってこれらの文献はけがや病気、術後の介護には有効である。【０００７】しかし浮腫患者の治療のマッサージは腕、脇、背中、首、胸、足、と全身あらゆる部位に及ぶ。したがって、一方の袖、一方の脇、片側だけの開閉では浮腫のマッサージには対応できない。【０００８】
【特許文献１】特開平８−１４４１０８
【特許文献２】特開２００５−２９０６５２
【特許文献３】特開２００６−９７１３９
【考案の開示】
【考案が解決しようとする課題】そこでこの発明は、浮腫治療のマッサージに対応し、かつ患者の尊厳を守りつつ治療を可能にするために、衣服の可能な限りのあらゆる部位を開閉可能にする。
浮腫のマッサージは衣服の上からでは効果がない。直接肌に施すことが基本となるので、施術の部位の開閉手段は絶対必要となる。
【課題を解決するための手段】
【０００９】男女兼用で簡単にはおれる衣服において、すべての部位を開閉させることにする。
身頃の両脇部分にマジックテープをつけ開閉手段とする。（図１−▲１▼）【００１０】袖は両方とも、上下二か所にマジックテープで開閉手段を施す。（図１−▲２▼）【００１１】袖は両方とも、身頃部分より取り外せるようにマジックテープで分離可能にする。（図１−▲３▼）【００１２】両肩は衿口から袖にかけて  マジックテープをつけ開閉可能にする。（図１−▲４▼）【００１３】前身頃の部分では衿口から裾までの縦部分（図１−▲５▼）、さらに脇から延びる横（図１−▲６▼）にマジックテープをつけ、開閉可能とする。【００１４】後身頃に部分でも前同様、背中の中心の衿口から裾までの縦部分（図２−▲７▼）と脇からの横部分（図２−▲８▼）にマジックテープをつけ、開閉可能にする。【００１５】ズボンにおいてもあらゆる部位の開閉を可能にした。
両脇のウエストから裾にかけてマジックテープをつけ分離させた。（図３−▲９▼）【００１６】ズボンの内側の股の部分にマジックテープをつけ、開閉可能にした。（図３−▲１０▼）【００１７】ズボンの前面の股上部分はマジックテープで開閉可能にした。（図３−▲１１▼）【００１８】ズボンのウエストは調節可能なゴム入りで、開閉はマジックテープで行う。（図３−▲１２▼）
【考案の効果】癌治療の後遺症の、浮腫の症状の患者さんに有効な治療であるマッサージを施術するときのための治療着として不可欠である。なぜなら、マッサージは着衣の上からではなく、直接肌に施術する必要があるため、普通のガウンやシャツを着てマッサージを受けることはできないからである。特に女性の場合、男性も同席しているリハビリ室での肌をだしての施術は、病気の治療とはいえ、心情的にも無理な部分があることは否めない。そこで、本考案の治療用衣服があれば、他の部分の肌をさらすことなく、必要な部分のマジックテープを開閉することで必要な部分のみのマッサージを施術することができ、患者さんの人権を守りながら、的確な治療が可能となるものである。
【産業上の利用可能性】埼玉県立がんセンターのリハビリ室にて実際に浮腫の患者さんのマッサージ用に購入が予定されている。
今年から浮腫のマッサージが保険適用の対象になったことから、浮腫マッサージの施術を行う病院が増えることが予想される。したがって、本考案の治療用衣服の要望が増えると予想できる。
【図面の簡単な説明】
【００１９】
【図１】本考案の実施の形態を示す上着の正面図
【図２】図１に示す上着の背面図
【図３】ズボンの正面図
【図１】
0003145579.tif 000003
【図２】
0003145579.tif 000004
【図３】
0003145579.tif 000005
【手続補正書】
【提出日】平成20年7月17日(2008.7.17)
【手続補正１】
【補正対象書類名】実用新案登録請求の範囲
【補正対象項目名】請求項７
【補正方法】変更
【補正の内容】
【請求項７】
請求項１に記載のリハビリ用衣服における各縁部の開閉手段はソフトタイプの「マジックテープ（登録商標）」である。
【手続補正２】
【補正対象書類名】実用新案登録請求の範囲
【補正対象項目名】請求項１２
【補正方法】変更
【補正の内容】
【請求項１２】
請求項８に記載のズボンにおける開閉手段はソフトタイプの「マジックテープ（登録商標）」である。
【手続補正３】
【補正対象書類名】明細書
【補正対象項目名】０００３
【補正方法】変更
【補正の内容】
【０００３】下記特許文献２は、肩、腕、足、胸の各所に治療用開閉口を設け、開閉箇所を「マジックテープ（登録商標）」で  開閉する上着とズボンである。病院での手術後の治療にあたり、患者の苦痛を減らし、治療しやすい医療用治療肌着である。
【手続補正４】
【補正対象書類名】明細書
【補正対象項目名】０００９
【補正方法】変更
【補正の内容】
【０００９】男女兼用で簡単にはおれる衣服において、すべての部位を開閉させることにする。身頃の両脇部分に「マジックテープ（登録商標）」をつけ開閉手段とする。（図１−▲１▼）
【手続補正５】
【補正対象書類名】明細書
【補正対象項目名】００１０
【補正方法】変更
【補正の内容】
【００１０】袖は両方とも、上下二か所に「マジックテープ（登録商標）」で開閉手段を施す。（図１−▲２▼）
【手続補正６】
【補正対象書類名】明細書
【補正対象項目名】００１１
【補正方法】変更
【補正の内容】
【００１１】袖は両方とも、身頃部分より取り外せるように「マジックテープ（登録商標）」で分離可能にする。（図１−▲３▼）
【手続補正７】
【補正対象書類名】明細書
【補正対象項目名】００１２
【補正方法】変更
【補正の内容】
【００１２】両肩は衿口から袖にかけて、「マジックテープ（登録商標）」をつけ開閉可能にする。（図１−▲４▼）
【手続補正８】
【補正対象書類名】明細書
【補正対象項目名】００１３
【補正方法】変更
【補正の内容】
【００１３】前身頃の部分では衿口から裾までの縦部分（図１−▲５▼）、さらに脇から延びる横（図１−▲６▼）に「マジックテープ（登録商標）」をつけ、開閉可能とする。
【手続補正９】
【補正対象書類名】明細書
【補正対象項目名】００１４
【補正方法】変更
【補正の内容】
【００１４】後身頃に部分でも前同様、背中の中心の衿口から裾までの縦部分（図２−▲７▼）と脇からの横部分（図２−▲８▼）に「マジックテープ（登録商標）」をつけ、開閉可能にする。
【手続補正１０】
【補正対象書類名】明細書
【補正対象項目名】００１５
【補正方法】変更
【補正の内容】
【００１５】ズボンにおいてもあらゆる部位の開閉を可能にした。
両脇のウエストから裾にかけて「マジックテープ（登録商標）」をつけ分離させた。（図３−▲９▼）
【手続補正１１】
【補正対象書類名】明細書
【補正対象項目名】００１６
【補正方法】変更
【補正の内容】
【００１６】ズボンの内側の股の部分に「マジックテープ（登録商標）」をつけ開閉可能にした。（図３−▲１０▼）
【手続補正１２】
【補正対象書類名】明細書
【補正対象項目名】００１７
【補正方法】変更
【補正の内容】
【００１７】ズボンの前面の股上部分は「マジックテープ（登録商標）」で、開閉可能にした。（図３−▲１１▼）
【手続補正１３】
【補正対象書類名】明細書
【補正対象項目名】００１８
【補正方法】変更
【補正の内容】
【００１８】
ズボンのウエストは調節可能なゴム入りで、開閉は「マジックテープ（登録商標）」で行う。（図３−▲１２▼）
【考案の効果】
癌治療の後遺症の、浮腫の症状の患者さんに有効な治療であるマッサージを施術するときの治療着として不可欠である。
なぜなら、マッサージは着衣の上からではなく、直接肌に施術する必要があるため、普通のガウンやシャツを着てマッサージを受けることはできないからである。
特に女性の場合、男性も同席しているリハビリ室での肌を出しての施術は、病気の治療とはいえ、心情的にも無理な部分があることは否めない。そこで、本考案の治療用衣服があれば、他の部分の肌をさらすことなく、必要な部分の「マジックテープ（登録商標）」を開閉することで必要な部分のみのマッサージを施術することができ、患者さんの人権を守りながら、的確な治療が可能となるものである。
【産業上の利用可能性】
埼玉県立がんセンターのリハビリ室にて実際に浮腫の患者さんのマッサージ用に購入が予定されている。
今年から浮腫のマッサージが保険適用の対象になったことから、浮腫マッサージの施術を行う病院が増えることが予想される。したがって、本公安の治療用衣服の要望が増えると予想できる。